(57)【特許請求の範囲】
【請求項１】
部屋の床に敷設した防音床暖房装置に部屋の壁際等から電気配線や温水配管を連絡させる配線や配管を行うのに用いる連絡用下地材であって、矩形板状に形成された下地材に配線や配管を通して収納し得る上面開口の収納溝が形成され、この収納溝が平面から見て略Ｖ字状に分岐された一対の分岐収納溝で構成され、収納溝の底部には配線や配管を固定する粘着剤が設けられたことを特徴とする防音床暖房装置への配線や配管の連絡用下地材。
【請求項２】
上記下地材に防音床暖房装置の下地と同等の防音性能を付与したことを特徴とする請求項１記載の防音床暖房装置への配線や配管の連絡用下地材。  
【発明の詳細な説明】
【０００１】
【発明の属する技術分野】
本発明は、部屋の床に防音床暖房装置を敷設したとき部屋の壁際等から電気配線や温水配管を連絡させる配線や配管を行うのに用いる連絡用下地材の構造に関するものである。
【０００２】
【従来の技術及び発明が解決しようとする課題】
一般に防音床暖房装置Ａは図８に示すように暖房用下地材の上に木質床材等の床表層材２を敷設して形成されている。暖房用下地材１は繊維マットのようなマット材３の下に発泡樹脂等のクッション材４を積層一体化し、クッション材４の下に不織布等の裏打ち材５を積層一体化して形成されており、温水暖房する場合には暖房用下地材１に配管溝６を凹設して配管溝６に温水パイプ７を配管すると共に必要に応じて温水パイプ７を配管溝６に粘着剤にて固定し、暖房用下地材１の上面全面にアルミニウム箔のような均熱シート９が貼られる。電気暖房の場合は、暖房用下地材１の上に面状ヒータ等が装着される。
【０００３】
このような防音床暖房装置Ａは部屋の床の上に直貼りで取り付け施工されるのであるが、暖房が必要な箇所だけに防音床暖房装置Ａが敷設され、暖房が必要でない周辺等には暖房機能のない防音床が敷設される。実際の施工では図９に示すように床暖房の必要な箇所に温水パイプ７や面状ヒータ等を装着した暖房用下地材１が敷設され、上記暖房用下地材１と同じであるが暖房機能のない防音下地材１０が敷設され、暖房用下地材１及び防音下地材１０の全面に亙るように床表層材２が敷設される。
【０００４】
ところで、上記防音床暖房装置Ａは部屋の中央部等の暖房の必要な部分に設けられるために給電したり、温水を供給したりするために部屋の壁際から防音床暖房装置Ａまで配線や配管を通す必要がある。この配線や配管を通す場合、床表面材２と防音下地材１０との間に通す必要があるが、配線や配管を通すために防音下地材１０の上面に配線や配管を通す溝を穿設する必要があるが、現場でこのような溝を穿設するには非常に手間がかかると共に技術を要し、施工が困難になるという問題がある。特に配線や配管を分岐する部分での施工は一層複雑になるという問題がある。
【０００５】
本発明は叙述の点に鑑みてなされたものであって、連絡の配線や配管を分岐する部分でも容易に施工できる防音床暖房装置への配線や配管の連絡用下地材を提供することを課題とする。
【０００６】
【課題を解決するための手段】
上記課題を解決するため本発明の防音床暖房装置への配線や配管の連絡用下地材Ｂ（以下連絡用下地材Ｂという）は、部屋の床に敷設した防音床暖房装置Ａに部屋の壁１１際等から電気配線や温水配管を連絡させる配線や配管を行うのに用いる連絡用下地材であって、矩形板状に形成された下地材１２に配線や配管を通して収納し得る上面開口の収納溝１３が形成され、この収納溝１３が平面から見て略Ｖ字状に分岐された一対の分岐収納溝１３ａ，１３ｂで構成され、収納溝１３の底部には配線や配管を固定する粘着剤１４が設けられたことを特徴とする。工場で予め製造された連絡用下地材Ｂを床に敷設するだけで分岐した配線や配管を分岐収納溝１３ａ，１３ｂに通して収納でき、これにより施工者によって施工のばらつきを生じたりすることなく容易に施工できる。またこの場合、収納溝１３に通して収納した配線や配管を容易に固定できて安定した施工ができる。
【０００７】
また上記下地材１２に防音床暖房装置Ａの下地と同等の防音性能を付与したことを特徴とすることも好ましい。この場合、連絡用下地材Ｂを敷設した連絡用の配線や配管を通した部分も防音床暖房装置と同等の防音性能を得ることができる。  
【０００８】
【発明の実施の形態】
連絡用下地材としては配線や配管を分岐する部分に用いる本発明の連絡用下地材Ｂと、それ以外の部分に用いる連絡用下地材Ｃとがある。
【０００９】
連絡用下地材Ｂは図１や図２に示すように矩形板状に形成せる下地材１２に収納溝１３を穿設して形成されている。下地材１２はマット材１５の下にクッション材１６を積層一体化し、クッション材１６の下に裏打ち材１７を積層一体化して形成されている。マット材１５は、麻、綿、パームなどの天然繊維やＰＥＴ、ポリエチレン、ポリエステルなどの合成繊維、或いはそれらの混合繊維とバインダーなどからなる繊維系マットである。クッション材１６は独立気泡または連続気泡の樹脂発泡体等であり、独立気泡樹脂発泡体としては例えば発泡ポリエチレン、連続気泡発泡体としては例えば発泡ウレタンが用いられる。裏打ち材１７としては不織布が用いられ、ＰＥＴやレーヨンなどからなるものが用いられる。下地材１２の上面には上面を開口せる収納溝１３が形成されるが、平面から見て略Ｖ字状に分岐された一対の分岐収納溝１３ａ，１３ｂにて形成されている。収納溝１３の底部のクッション材１６に対応する部分に粘着剤１４を装着してある。
【００１０】
図１に示す連絡用下地材Ｂは温水暖房するとき連絡用の配管を分岐して通すものであり、図２に示す連絡用下地材Ｂは電気暖房するとき連絡用の配線を通すものであるが、基本的に同じ構造である。ただ温水暖房用の連絡用下地材Ｂと電気暖房用の連絡用下地材Ｂとは、温水暖房用の方が下地材１２の厚さが厚いが電気暖房用の方が下地材１２の厚さが薄い点が異なる。温水暖房用の連絡用下地材Ｂの場合、連絡用配管としての往路用及び復路用の温水パイプ１８ａ，１８ｂが図１（ｂ）のように夫々の分岐収納溝１３ａ，１３ｂに分岐して通され、粘着剤１４に粘着して保持される。電気暖房用の連絡用下地材Ｂの場合、連絡用の配線としてのケーブル１９が図２（ｂ）に示すように夫々の分岐収納溝１３ａ，１３ｂに分岐して通され、粘着剤１４に粘着して保持される。
【００１１】
また連絡用下地材Ｃは図３、図４に示すように細長い矩形状に形成せる下地材１２に収納溝２０を穿設して形成されている。上記連絡用下地材Ｂと同様に下地材１２はマット材１５の下にクッション材１６を積層一体化し、クッション材１６の下に裏打ち材１７を積層一体化して形成されており、これらのマット材１５、クッション材１６及び裏打ち材１７は上記と同様の材料にて形成されている。
【００１２】
下地材１２の上面には上面を開口せる収納溝２０が形成されるが、下地材１２の長手方向の両端部を除く部分には下地材１２の幅方向の略中央で下地材１２の長手方向に亙る直線収納溝２０ａが形成され、下地材１２の長手方向の両端では下地材１２の幅の略半分の幅の半径で１／４円状の円弧状収納溝２０ｂ，２０が形成されている。そして円弧状収納溝２０ｂ，２０ｃの一端は直線収納溝１３ａに連通しており、円弧状収納溝２０ｂ，２０ｃの他端は下地材１２の長手方向と平行な側端面に開口している。上記のように収納溝２０が形成されるが、収納溝２０はマット材１５に貫通するように形成してあり、この収納溝２０の底部のクッション材１６に対応する部分には粘着剤１４を装着してある。
【００１３】
図３に示す連絡用下地材Ｃは温水暖房するとき連絡用の配管を通すものであり、図４に示す連絡用下地材Ｃは電気暖房するとき連絡用の配線を通すものであるが、基本的に同じ構造である。ただ温水暖房用の連絡用下地材Ｃと電気暖房用の連絡用下地材Ｃとは、温水暖房用の方が下地材１２の厚さが厚いが電気暖房用の方が下地材１２の厚さが薄い点が異なる。温水暖房用の連絡用下地材Ｃの場合、連絡用の配管としての往路用及び復路用の温水パイプ１８ａ，１８ｂが図３（ａ）のように通して収納され、粘着剤１４に粘着して保持される。電気暖房用の連絡用下地材Ｂの場合、連絡用の配線としてケーブル１９が図４に示すように通して収納され、粘着剤１４に粘着して保持される。
【００１４】
上記のように構成せる連絡用下地材Ｃはそのままの状態で用いることができるが、下地材１２が切断可能な材料にて形成されているために下地材１２の長手方向の適宜の位置で幅方向に切断することができ、図５に示すように様々な収納溝１３の形態を有する切断連絡用下地材Ｃ1，Ｃ2，Ｃ3…を形成できる。
【００１５】
図６は温水床暖房を行うときの施工途中の状態を示す。これは小面積の床暖房を設けるために小面積の防音床暖房装置Ａを設けるものである。部屋の床暖房の必要な箇所には温水暖房用の温水パイプ７が装着された暖房用下地材１が敷設され、ボイラーからの配管が部屋に導入される壁１１際から暖房用下地材１の温水パイプ７まで配管する経路に沿って連絡用下地材Ｂや連絡用下地材Ｃが並べて敷設される。本例の場合、連絡用下地材Ｃとしては切断連絡用下地材Ｃ1が敷設される。そして切断連絡用下地材Ｃ1の収納溝２０に沿って往路用及び復路用の温水パイプ１８ａ，１８ｂを通して収納され、連絡用下地材Ｂの部分で温水パイプ１８ａ，１８ｂを夫々分岐収納溝２０ａ，２０ｂに別々に通して収納され、温水パイプ１８ａ及び温水パイプ１８ｂが夫々温水パイプ７の往路用及び復路用の温水パイプ７ａ，７ｂに接続される。連絡用下地材Ｂ，Ｃを敷設した後、床の残りの部分に防音下地材が敷設され、暖房用下地材１、連絡用下地材Ｂ，Ｃ及び防音下地材の上面の全面に亙って床表層材が敷設される。
【００１６】
図７は電気床暖房を行うときの施工の途中の状態を示す。部屋の床暖房に必要な箇所には電気暖房用のヒータ２１が装着された暖房用下地材１が敷設される。本例の場合、２つの床暖房の必要な箇所に分けて暖房用下地材１が敷設されている。コントローラのある壁１１際から２つの暖房用下地材１を敷設した部分まで配線する経路に沿って連絡用下地材Ｂや連絡用下地材Ｃが並べて敷設される。このとき壁１１際には連絡用下地材Ｂが敷設され、連絡用下地材Ｂの各分岐収納溝１３ａ，３ｂに収納溝２０が夫々連通するように連絡用下地材Ｃが敷設される。壁１１に取り付けたコントローラ２２から壁１１面に沿って一対のケーブル１９が垂下され、この各ケーブル１９を連絡用下地材Ｂの分岐収納溝１３ａ，１３ｂに通して収納することで分岐され、分岐した各ケーブル１９が各連絡用下地材Ｃの収納溝２０に通して収納され、ケーブル１９がヒータ２１に接続される。連絡用下地材Ｂ，Ｃを敷設した後、残りの部分に防音下地材が敷設され、暖房用下地材１、連絡用下地材Ｂ，Ｃ及び防音下地材の上面の全面に亙って床表層材が敷設される。
【００１７】
【発明の効果】
本発明の請求項１の連絡用下地材は、矩形板状に形成された下地材に配線や配管を通して収納し得る上面開口の収納溝が形成され、この収納溝が平面から見て略Ｖ字状に分岐された一対の分岐収納溝で構成されたので、工場で予め製造された連絡用下地材を床に敷設するだけで分岐した配線や配管を分岐収納溝に通して収納できるものであって、これにより施工者によって施工のばらつきを生じたりすることなく容易に施工できるものである。また収納溝の底部には配線や配管を固定する粘着剤が設けられたので、収納溝に通して収納した配線や配管を容易に固定できて安定した施工ができるものである。
【００１８】
また本発明の請求項２の発明は、請求項１において、上記下地材に防音床暖房装置の下地と同等の防音性能を付与したので、連絡用下地材を敷設した連絡用の配線や配管を通した部分も防音床暖房装置と同等の防音性能を得ることができるものである。  
【図面の簡単な説明】
【図１】  （ａ）は本発明の連絡用下地材の一例の平面図、（ｂ）は収納溝に配管を施した状態の連絡用下地材の断面図である。
【図２】  （ａ）は同上の連絡用下地材の他例の平面図、（ｂ）は収納溝に配線を施した状態の断面図である。
【図３】  （ａ）は同上の連絡用下地材の他例の平面図、（ｂ）は収納溝に配管を施した状態の連結用下地材の断面図である。
【図４】  （ａ）は同上の連絡用下地材の他例の平面図、（ｂ）は収納溝に配線を施した状態の連結用下地材の断面図である。
【図５】  （ａ）乃至（ｆ）は図３や図４の連絡用下地材を切断した状態の例の平面図である。
【図６】  同上の連絡用下地材の敷設状態の一例を示す平面図である。
【図７】  同上の連絡用下地材の敷設状態の他例を示す平面図である。
【図８】  防音床暖房装置の一部切欠断面図である。
【図９】  床を施工する状態を説明する分解斜視図である。
【符号の説明】
Ａ  防音床暖房装置
Ｂ  連絡用下地材
１１  壁
１２  下地材
１３  収納溝
１３ａ  分岐収納溝
１３ｂ  分岐収納溝
【図１】
0003716758.tif 000002
【図２】
0003716758.tif 000003
【図３】
0003716758.tif 000004
【図４】
0003716758.tif 000005
【図５】
0003716758.tif 000006
【図６】
0003716758.tif 000007
【図７】
0003716758.tif 000008
【図８】
0003716758.tif 000009
【図９】
0003716758.tif 000010